(57)【要約】
【課題】簡易な方法で製作でき、使いやすく持ち運びに便利な帽子を提供する。
【解決手段】１枚の生地２を二つ折りにして、この生地２から本体部１１とひさし部１２を折山２ａを中心とした対称形に切り取り、上記本体部１１の頭上部２１を縫い合わせて、この頭上部２１の前方にひさし部１２を取り付けると共に、本体部１１の内側の頬付近にあたる部分にゴム１６を縫いつけて縮みを入れ、本体部１１の下方には衿肩ケープ部１５を形成し、この衿肩ケープ部１５の前端には２本の紐１９を取り付ける。
【選択図】図４
0003100538.tif 000002
【実用新案登録請求の範囲】
【請求項１】
　１枚の生地を二つ折りにして、この生地から本体部とひさし部を折山を軸とした対称形に切り取り、上記本体部の頭上部を縫い合わせて、この頭上部の前方にひさし部を取り付けると共に、本体部の内側の頬付近にあたる部分にゴムを縫いつけて縮みを入れ、本体部の下方には衿肩ケープ部を形成した帽子。
【請求項２】
　上記ひさし部と、ひさし部下方のあご部と、衿肩ケープ部のそれぞれの縁部をバイアステープでくるみ、かつ衿肩ケープ部の前端には２本の紐を取り付けたことを特徴とする請求項１記載の帽子。
【考案の詳細な説明】
【技術分野】
【０００１】
本考案は、製作に手間がかからず、携帯に便利な帽子に関するものである。
【背景技術】
【０００２】
　現在市販されている帽子のほとんどは、大きすぎるため持ち運びに不便であった。また、製作過程においても材料を多く使用して製作工程が複雑であるという問題点もあった。
【特許文献１】実用新案登録第３０５２１４１号
【考案の開示】
【考案が解決しようとする課題】
【０００３】
本考案は上記の点に鑑みなされたものであり、材料を無駄なく使用し、簡易な製作方法で製作できる持ち運びに便利で使いやすい帽子を提供するものである。
【課題を解決するための手段】
【０００４】
本考案の要旨とするところは、１枚の生地を折山を中心として二つ折りにして、この生地から本体部とひさし部を折山を軸とした線対称の形状に切り取る。そして上記本体部の上端の頭上部を縫い合わせて、この頭上部の前方にひさし部を取り付ける。さらに本体部の内側の頬付近にあたる部分にゴムを縫いつけて縮みを入れる。本体部の下方には衿肩ケープ部を形成したことにある。
【０００５】
　さらに上記ひさし部と、ひさし部下方のあご部と、衿肩ケープ部のそれぞれの縁部をバイアステープでくるみ、かつ衿肩ケープ部の前端には２本の紐を取り付けたことにある。
【考案の効果】
【０００６】
本考案は上記の如き構成であるため、材料を無駄なく使用し、簡易な製作方法で製作でき、使いやすく持ち運びに便利である等の効果を奏する。
【考案を実施するための最良の形態】
【０００７】
　本考案を実施するための最良の形態は、１枚の生地を折山を中心に二つ折りにして、この生地から本体部とひさし部を折山を軸とした線対称の形状に切り取る。そして上記本体部の頭上部を縫い合わせて、この頭上部の前方にひさし部を取り付けると共に、本体部の内側の頬付近にあたる部分にゴムを縫いつけて縮みを入れる。本体部の下方には衿肩ケープ部を形成し、この衿肩ケープ部の前端には２本の紐を取り付ける。なお、この紐１９は本考案の必須要件ではない。
　さらに上記ひさし部と、ひさし部下方のあご部と、衿肩ケープ部のそれぞれの縁部をバイアステープでくるんだことを特徴とするものである。
【実施例】
【０００８】
　図は本考案の実施例を示すもので、図１は帽子の生地を二つ折りにした斜視図、図２は本体部分を縫い合わせた状態の正面図、図３は帽子の正面図及び図４は使用状態を示す説明図である。
【０００９】
　本実施例の帽子１の構成を図に基づいて説明する。
　図３に示すように、帽子１は、頭を覆う本体部１１の前方上部にひさし部１２を設け、下端には２本の紐１９を取り付けている。また、本体部１１の内側の頬にあたる部分にゴム１６を縫いつけて本体部１１に縮みを入れてある。
【００１０】
　上記帽子１の製作方法を説明する。
　まず、図１に示すように１枚の生地２を広げ中心線の折山２ａより二つ折りにする。ついで、この二つ折りにした生地２の片面に型紙を当て、その表面に本体部１１、ひさし部１２、１２、芯部１４を書き込んでから重なっている２枚の生地を同時に切り取っていく。
　この切り取った本体部１１とひさし部１２は、生地２が折山２ａを軸として線対称に２枚重なっている状態である。
　上記ひさし部１２、１２の一方はひさし部の裏生地部分となるものである。
【００１１】
　上記芯部１４についてはこの生地２と異なった別の芯地を使用しても良い。また、生地２から本体部１１等を切り取った残りの部分から、紐１９を作成することもできる。
【００１２】
　次に上記切断した生地を次の手順で縫い合わせていく。
　まず図２、図３に示すように、２枚の本体部１１の上端の湾曲している頭上部２１を縫い合わせる。なお、後部２２を構成する直線部は２枚の生地２の折山２ａによって繋がっているため、縫う必要がない。
　次に顔の頬すなわち両耳の下部付近に相当する、本体部１１の内側の側面部分にゴム１６，１６を縫いつけて縮みを入れる。
【００１３】
　次に、本体部１１下方の広がった裾部分は衿肩ケープ部１５を形成するものであり、その縁部をバイアステープ１５ａでくるんで８ｍｍ巾で仕上げる。
【００１４】
　次に、内側に芯部１４をはさんで２枚のひさし部１２を縫い合わせる。これを上記頭上部２１の前方上部２０すなわち額部分に１ｃｍの縫い代で縫い付ける。縫い付けてから６ｍｍのステッチをかける。そして、ひさし部１２の縁取りは、バイアステープ１２ａでくるんで８ｍｍ巾で仕上げ、そのテープを下方に延長して上記ひさし部１２の下方のあご部２３を上記と同様にバイアステープで仕上げてから、衿肩ケープ部１５の端部分と一緒にくるむ。
【００１５】
　上記のバイアステープ１２ａは、ひさし部１２の縁取りをして、あご部２３の縁部をくるんだ後、延長して２本の紐１９を構成する。つまり紐１９はバイアステープ１２ａと一体に形成する。そして、通常この２本の紐１９は図４のように結んで使用する。しかし、図示しないが、マジックテープ（登録商標）などの係止手段によって２本の紐１９を留めることもできる。
　この紐１９の長さは約３０ｃｍである。この紐１９は、日照りや突然風雨に遭ったときなどに、帽子１を確実に頭に固定するためのものである。
【００１６】
　上記本体部１１の下部先端１１ａに、図示しないが、ボタンあるいはフックあるいはマジックテープ（登録商標）などの留め具を設け、これによって下部先端１１ａ、１１ａを留めて着用することもできる。これによれば、紐１９を使用しなくとも安定して着用することができる。
【００１７】
　以上のように構成した本実施例の帽子１を着用するときは、紐１９をほどいた状態で頭の上からすっぽりとかぶせ、図４の状態とすればよい。紐１９は必要に応じて使用する。
【００１８】
　このように本実施例の帽子１は、１枚の生地から簡易な方法で製作でき、かつ生地を無駄に使うことなく効率よく製作することができる。
　使用に際しては、着用が容易であり頭に無理なく装着できる。さらにゴム１６の作用で本体部１１に縮みができるため装着感が自然である。また、ひさし部１２で日光をさえぎるとともに、両側の本体部１１も日光あるいは風、ホコリをさえぎることができる。
　さらに、大きさも適当でかさばらないないため、いつでも、どこでも持ち歩きできるので、ハンドバッグ、かばん、上着のポケットなどに入れて常に携帯することができるのである。
【図面の簡単な説明】
【００１９】
【図１】本考案の一実施例を示す帽子の生地を二つ折りにした斜視図
【図２】本考案の一実施例を示す本体部を縫い合わせた状態の正面図
【図３】本考案の一実施例を示す帽子の正面図
【図４】本考案の一実施例を示す帽子の使用状態を示す説明図
【符号の説明】
【００２０】
　　　１　　帽子
　　　２　　生地
　　　２ａ　折山
　　１１　　本体部
　　１２　　ひさし部
　　１４　　芯部
　　１９　　紐
　　１６　　ゴム
　　２０　　前方上部
　　２１　　頭上部
　　２２　　後部
　　２３　　あご部
【図１】
0003100538.tif 000003
【図２】
0003100538.tif 000004
【図３】
0003100538.tif 000005
【図４】
0003100538.tif 000006